(57)【要約】【課題】どの機器のどの動作と関連した運転状態または運転条件の設定状態が表示されているのかを、メイン画面のスイッチ部のスイッチ表示部にスイッチ名称と共に、又は交互に表示させることとしたので、ひと目で把握することができる給湯システムリモコンを提供する。【解決手段】接続された機器の操作設定を行うスイッチ部（２８）を備え、スイッチ部（２８）にスイッチ表示部を設けた給湯システムリモコンにおいて、スイッチ部（２８）のスイッチ表示部に運転条件の設定状態である予約中の文字をスイッチ名称（ふろ自動）と共に、又は交互に表示させる。【選択図】  図６
2004177090.tif 000002
【特許請求の範囲】
【請求項１】
接続された機器の操作設定を行うスイッチ部と、前記スイッチ部に表示を行うスイッチ表示部と、前記スイッチ表示部の表示切替え及び前記スイッチ部の操作判断を制御する制御部とを有する接続機器との双方向通信を行う遠隔操作機器を備えた給湯システムリモコンにおいて、前記制御部は接続された機器の設定状態に応じて、前記スイッチ部のスイッチ表示部に運転状態または運転条件の設定状態をスイッチ名称と共に、又は交互に表示させることを特徴とする給湯システムリモコン。
【発明の詳細な説明】
【０００１】
【発明の属する技術分野】
本発明は、接続された機器の操作設定を行うスイッチ部と、前記スイッチ部に表示を行うスイッチ表示部と、前記スイッチ表示部の表示切替え及び前記スイッチ部の操作判断を制御する制御部とを有する接続機器との双方向通信を行う遠隔操作機器を備えた給湯システムリモコンに関するものである。
【０００２】
【従来の技術】
従来のスイッチ表示部を備えるリモコンは、運転状態が確認できるように、操作されたスイッチ部の状態によって、そのスイッチ部のスイッチ表示部に状態表示を示す単語を書き替える単語表示、状態書替手段を備えており、例えば、「休止中」の表示が「運用中」へ書き替えられるようになっている（例えば、特許文献１参照。）。
【０００３】
【特許文献１】
特開平５―２８９７９６号公報。（第５−４頁、図５）
【発明が解決しようとする課題】
しかしながら、従来のリモコンは、操作されたスイッチ部の状態によって、そのスイッチ部のスイッチ表示部に状態表示単語を書き替えているだけで、操作する機器が複雑な場合や複数ある場合等は、どの機器のどの動作と関連した運転状態または運転条件の設定状態が表示されているのかがわかりにくい場合がある。本発明は、上記課題を解決するためになされたもので、本発明の目的は、どの機器のどの動作と関連した運転状態または運転条件の設定状態が表示されているのかを、ひと目で把握することができる給湯システムリモコンを提供することにある。
【０００４】
【課題を解決するための手段及びその作用・効果】
上記目的を達成するために請求項１は、接続された機器の操作設定を行うスイッチ部と、前記スイッチ部に表示を行うスイッチ表示部と、前記スイッチ表示部の表示切替え及び前記スイッチ部の操作判断を制御する制御部とを有する接続機器との双方向通信を行う遠隔操作機器を備えた給湯システムリモコンにおいて、前記制御部は接続された機器の設定状態に応じて、前記スイッチ部のスイッチ表示部に運転状態または運転条件の設定状態をスイッチ名称と共に、又は交互に表示させることとした。
これによって、たとえば、メインリモコンでふろ自動の入浴予約を設定して、ふろ自動予約中であるとき、自分が操作しようとするリモコンのふろ自動スイッチにその運転条件の設定状態の表示を行うので、従来のスイッチ部以外のまとまった表示部に運転条件の設定状態の表示を行うのに比べて、どの機器のどの動作と関連した運転状態または運転条件の設定状態が表示されているのかを、ひと目で把握することができる。
【０００５】
【発明の実施の形態】
以下、本発明の実施の形態を、図面により詳細に説明する。
図１は本発明に関わる給湯システム全体の構成図である。
給湯装置１は、上流の給水管２および下流の給湯管３と繋がっている。
また、ふろ往き管４とふろ戻り管５を通じて浴槽６と繋がっている。給湯装置１で加熱されたお湯は給湯管３を通じて、台所水栓７および浴室のシャワー付き水栓８から出湯される。
また、浴室には浴室リモコンａが、台所にはメインリモコンｂが設置されている。浴室リモコンａ、メインリモコンｂは通信線９を通じて、給湯装置１の制御部（図示せず）と双方向で通信している。
また、制御部（図示しない）は、給湯装置１からふろ往き管４とふろ戻り管５を通じて浴槽６へのお湯はり運転を行ったり、さし水運転を行ったり、また、浴槽水の追焚き運転を行ったりする。
【０００６】
図２は浴室リモコンａのメイン画面を示す図である。
浴室リモコンａには、給湯装置１の運転を指示する為の運転スイッチ１１と、浴槽６に設定している条件まで自動でお湯はりし、追焚きを指示する為のふろ自動スイッチ１２と、給湯設定温度の優先権を得るための浴室優先スイッチ１３と、他のリモコンと話をする為の通話スイッチ１４とが備えられている。
また、ふろ温度を変更する下位画面の階層に切替える為のふろ温度スイッチ１５と、ふろ水位を変更する下位画面の階層に切替える為のふろ水位スイッチ１６と、給湯温度を変更する下位画面の階層に切替える為の給湯温度スイッチ１７とからなる、ふろ温度・ふろ水位・給湯温度の設定を変更する下位画面の階層に切替えるスイッチ郡が備えられている。
さらには、浴槽水を増やしたり、ぬるくしたり、あつくしたりするスイッチ郡に切替える為のふろ表示へスイッチ１８と、子供のいたずらによるリモコン操作を禁止する為のチャイルドロックスイッチ１９が備えられている。
また、それぞれのスイッチはドットマトリックス素子からなる表示部を備え、スイッチ名称、運転状態または運転条件の設定状態を記号、文字、図形又は、動画等で表示する。
なお、表示部にランプ（バックライト）を搭載することにより、運転状態または運転条件の設定状態に応じてランプ（バックライト）を点灯させてもよい。
あるいは、点滅させてもよい。
【０００７】
図３はメインリモコンｂのメイン画面を示す図である。
メインリモコンｂには、給湯装置１の運転を指示する為の運転スイッチ１１と、浴槽６に設定している条件まで自動でお湯はりし、追焚きを指示する為のふろ自動スイッチ１２と、伝言メモを録音したり、再生したり、消去したりする階層に切替える為の伝言メモスイッチ２０と、他のリモコンと話をする為の通話スイッチ１４が備えられている。
また、給湯温度を変更する下位画面の階層に切替える為の給湯温度スイッチ１７と、下位画面の階層に切替える為の１−２切替えスイッチ２１が備えられている。
また、それぞれのスイッチはドットマトリックス素子からなる表示部を備え、スイッチ名称、運転状態または運転条件の設定状態を記号、文字、図形又は、動画等で表示する。
なお、表示部にランプ（バックライト）を搭載することにより、運転状態または運転条件の設定状態に応じてランプ（バックライト）を点灯させてもよい。
あるいは、点滅させてもよい。
【０００８】
図４は、図３の１−２切替えスイッチ２１を操作した時のメインリモコンｂの２階層目の画面を示す図である。
メインリモコンｂには、給湯装置１の運転を指示する為の運転スイッチ１１と、浴槽６に設定している条件まで自動でお湯はりし、追焚きを予約指示する為の入浴予約スイッチ  ２２及び給湯装置の運転条件の設定をお好みに変更する階層に切替える為の各種設定スイッチ２３と、他のリモコンと話をする為の通話スイッチ１４が表示される。
また、子供のいたずらによるリモコン操作を禁止する為のチャイルドロックスイッチ１９と、上位画面の階層に切替える為の１−２切替えスイッチ２１が表示される。
【０００９】
図５は、図４の入浴予約スイッチ２２を操作した時のメインリモコンｂの入浴予約設定画面を示す図である。
浴槽６に設定している条件まで自動でお湯はりし、追焚きを完了したい時刻を＋側に変更する為の予約時間＋スイッチ２６と、−側に変更する為の予約時間−スイッチ２７と、設定した時刻を決定する為の決定スイッチ２５と、設定した時刻を取り消す為の取消スイッチ２４が表示される。
【００１０】
図６は入浴予約中のメインリモコンｂの画面を示す図である。
図１４は本発明の一実施例を示すブロック図である。
図１５は本発明の一実施例を示すフローチャートである。
図５において入浴予約時刻を設定し決定スイッチ２５を押す３５（Ｓ１）と、図３で示したメイン画面の階層に自動的に切替り、運転条件の設定状態を制御部３８の関連スイッチ部のスイッチ表示部への表示制御部３６でメインリモコンｂのふろ自動スイッチ１２のスイッチ表示部分に予約中の文字が反転文字で表示される３７（Ｓ２）。
このように、予約中の文字とスイッチ名称のふろ自動とを共に表示した入浴予約中のふろ自動スイッチ２８を搭載している。
【００１１】
従って、入浴予約操作の結果、ふろ自動の予約中であるということがわかり、タイマースイッチを操作した下位画面を再度選択することなく、メイン画面において、どの機器のどの動作と関連した運転条件の設定状態かをひと目で把握することができる。
【００１２】
同時に、図７に示すように、浴室リモコンａのふろ自動スイッチ１２の部分にもメインリモコンｂと同じ様に予約中の文字が反転文字で表示される。
このように、浴室リモコンａにも、予約中の文字とスイッチ名称のふろ自動とを共に表示した入浴予約中のふろ自動スイッチ２８を搭載している。
また、図９に示すように、入浴準備が完了した場合も同様に、図６及び図７で示した入浴予約中のふろ自動スイッチ２８の部分が、入浴Ｏ．Ｋの文字が反転文字で表示される。
このように、入浴Ｏ．Ｋの文字とスイッチ名称のふろ自動とを共に表示した入浴Ｏ．Ｋのふろ自動スイッチ２９を搭載している。
【００１３】
従って、ふろ自動運転の操作の結果、ふろ自動の入浴準備が完了したということがわかり、どの機器のどの動作と関連した運転状態かをひと目で把握することができる。
【００１４】
なお、ここでは、予約中や入浴Ｏ．Ｋの文字を反転文字としたが、ランプ（バックライト）の色や文字自体の色をスイッチ名称のふろ自動と共に変えてもよい。
また、スイッチ名称のふろ自動との配置を、入浴予約中の反転文字は左端に表示し、入浴Ｏ．Ｋの反転文字は右端に表示したりして区別することで、遠くからでも入浴予約中なのか入浴Ｏ．Ｋなのかが、容易に判断できる。
【００１５】
図９は電気温水器のメインリモコンｂのメイン画面を示す図である。
メインリモコンｂには、給湯装置１内のタンク（図示せず）の沸き増しや、温水器温度を変更する画面に切替える為のタンクスイッチ３０と、浴槽６に設定している条件まで自動でお湯はりし、追焚きを指示する為のふろ自動スイッチ１２と、伝言メモを録音したり、再生したり、消去したりする為の伝言メモスイッチ２０と、他のリモコンと話をする為の通話スイッチ１４が備えられている。
また、給湯温度を変更する下位画面の階層に切替える為の給湯温度スイッチ１７と、下位画面の階層に切替える為の１−２切替えスイッチ２１が備えられている。
また、それぞれのスイッチはドットマトリックス素子からなる表示部を備え、スイッチ名称、運転状態または運転条件の設定状態を記号、文字、図形又は、動画等で表示する。
なお、表示部にランプ（バックライト）を搭載することにより、運転状態または運転条件の設定状態に応じてランプ（バックライト）を点灯させてもよい。
あるいは、点滅させてもよい。
【００１６】
図１０はタンクヒータ通電中のメインリモコンｂの画面を示す図である。
図９のタンクスイッチ３０を操作してタンク内ヒータに通電しているとき、メインリモコンｂのタンクスイッチ３０の部分には文字で通電中との表示が追加される。
このように、通電中の文字とスイッチ名称のタンクとを共に表示した通電中のタンクスイッチ３１を搭載している。
【００１７】
図１１は運転休止中のタンクスイッチ部の表示を示す図である。
別途、下位画面に設けられたタイマースイッチ（図示しない）を操作してタンク内ヒータに通電の運転を一時的に休止したとき、図９に示すメインリモコンｂのメイン画面に表示されているタンクスイッチ３０の部分に休止中の文字が追加される。
このように、休止中の文字とスイッチ名称のタンクとを共に表示した休止中のタンクスイッチ３２を搭載している。
【００１８】
従って、タイマースイッチを操作した下位画面を再度選択することなく、メイン画面において運転条件の設定状態を確認することができ、操作の手間が省ける。
【００１９】
図１２はふろ自動中（お湯はり中）のメインリモコンｂの画面を示す図である。
図３のふろ自動スイッチ１２の部分に浴槽の図が表示されると共に、お湯はり水位等がリアルタイムで動画で表示されている。
このように、お湯はりの経過状態を動画とスイッチ名称のふろ自動と共に表示するふろ自動スイッチ３３を搭載することで、ひと目でふろ自動運転中と分かり、且つ、後どれくらいでふろ自動運転が終わるかの目安にもなる。
また、メインリモコンｂにこの表示を備えることで、浴室まで行って、おふろの湯はり状態を確認する手間が省ける。
【００２０】
図１３は交互表示する入浴予約中のふろ自動スイッチ部の画面を示す図である。
スイッチ名称と運転状態または運転条件の設定状態の表示方法は、共に表示させると説明してきたが、ふろ自動予約中に、予約中表示のふろ自動スイッチ３４とスイッチ名称のふろ自動表示のふろ自動スイッチ１２とを交互に表示させるとしても、入浴予約操作の結果、ふろ自動の予約中であるということがわかり、タイマースイッチを操作した下位画面を再度選択することなく、メイン画面において、どの機器のどの動作と関連した運転条件の設定状態かをひと目で把握することができる。
【図面の簡単な説明】
【図１】本発明の一実施例を示す給湯システムの構成図
【図２】浴室リモコンのメイン画面を示す図
【図３】メインリモコンのメイン画面を示す図
【図４】メインリモコンの２階層目の画面を示す図
【図５】メインリモコンの入浴予約画面を示す図
【図６】入浴予約中のメインリモコンの画面を示す図
【図７】入浴予約中の浴室リモコンの画面を示す図
【図８】入浴Ｏ．Ｋのふろ自動スイッチ部の画面を示す図
【図９】電気温水器のメインリモコンのメイン画面を示す図
【図１０】タンクヒータ通電中のメインリモコンの画面を示す図
【図１１】運転休止中のタンクスイッチ部の表示を示す図
【図１２】ふろ自動中（お湯はり中）のメインリモコンの画面を示す図
【図１３】交互表示する入浴予約中のふろ自動スイッチ部の画面を示す図
【図１４】本発明の一実施例を示すブロック図
【図１５】本発明の一実施例を示すフローチャート
【符号の説明】
ａ    浴室リモコン
ｂ    メインリモコン
１    給湯装置
２    給水管
３    給湯管
４    ふろ往き管
５    ふろ戻り管
６    浴槽
７    台所水栓
８    シャワー付き水栓
９    通信線
１１  運転スイッチ
１２  ふろ自動スイッチ
１３  浴室優先スイッチ
１４  通話スイッチ
１５  ふろ温度スイッチ
１６  ふろ水位スイッチ
１７  給湯温度スイッチ
１８  ふろ表示へスイッチ
１９  チャイルドロックスイッチ
２０  伝言メモスイッチ
２１  １−２切替スイッチ
２２  入浴予約スイッチ
２３  各種設定スイッチ
２４  取消スイッチ
２５  決定スイッチ
２６  予約時間＋スイッチ
２７  予約時間−スイッチ
２８  ふろ自動予約中のふろ自動スイッチ
２９  ふろ自動入浴Ｏ．Ｋのふろ自動スイッチ
３０  タンクスイッチ
３１  タンク通電中のタンクスイッチ
３２  タンク運転休止中のタンクスイッチ
３３  ふろ自動進捗状態表示中のふろ自動スイッチ
３４  ふろ自動予約中の交互表示している予約中のふろ自動スイッチ
３５  スイッチ操作
３６  運転条件の設定状態を関連スイッチ部のスイッチ表示部への表示制御部
３７  スイッチ表示部への表示
３８  制御部
【図１】
2004177090.tif 000003
【図２】
2004177090.tif 000004
【図３】
2004177090.tif 000005
【図４】
2004177090.tif 000006
【図５】
2004177090.tif 000007
【図６】
2004177090.tif 000008
【図７】
2004177090.tif 000009
【図８】
2004177090.tif 000010
【図９】
2004177090.tif 000011
【図１０】
2004177090.tif 000012
【図１１】
2004177090.tif 000013
【図１２】
2004177090.tif 000014
【図１３】
2004177090.tif 000015
【図１４】
2004177090.tif 000016
【図１５】
2004177090.tif 000017